(57)【特許請求の範囲】
【請求項１】
ベース部材に対して向きを変えながら第１位置と第２位置との間で移動する可動演出部材を備えた遊技機において、
前記ベース部材に回転可能に支持された回転軸を中心に回転駆動される動力伝達車と、
前記動力伝達車を回転駆動するための回転駆動源と、
前記可動演出部材に固定されて、前記動力伝達車と係合する線状受動部と、
前記可動演出部材から前記ベース部材に向かって突出した可動係合突部と、
前記ベース部材に設けられて、その形状に沿って前記可動係合突部が移動可能に係合する少なくとも一部が曲線状に形成された演出回動位置決定ガイドとを備え、
前記線状受動部と前記動力伝達車は、前記動力伝達車を中心とした前記線状受動部の回転を許容した状態で係合状態に保持され、前記動力伝達車の回転に伴って前記線状受動部と共に前記可動演出部材が前記第１位置と前記第２位置との間で移動すると共に前記演出回動位置決定ガイドにおける前記可動係合突部の位置が変化し、前記可動係合突部の位置が前記演出回動位置決定ガイドの曲線形状に沿って変化する際に、前記線状受動部が前記動力伝達車の回転方向に回転し、前記可動演出部材が前記第１位置と前記第２位置との間で移動する際の向きが変更されるように構成したことを特徴とする遊技機。
【請求項２】
前記可動演出部材の移動経路における一端に配置された前記可動演出部材を視認困難にするカバー部材を備え、
前記可動演出部材が移動経路における一端から他端に向かうに従って、前記動力伝達車と前記可動係合突部との距離が徐々に縮まるように構成したことを特徴とする請求項１に記載の遊技機。
【請求項３】
前記線状受動部は、直線状に形成されたことを特徴とする請求項１又は２に記載の遊技機。
【請求項４】
前記演出回動位置決定ガイドは、直線部を有し、
前記可動演出部材の移動に伴って前記可動係合突部が前記演出回動位置決定ガイドの前記直線部を通過する際に、その直線部と前記線状受動部とが略平行になって、前記可動演出部材が向きを変更せずに移動するように構成したことを特徴とする請求項１乃至３の何れか１の請求項に記載の遊技機。
【請求項５】
前記可動演出部材の移動経路における一端に配置された前記可動演出部材の少なくとも一部を、遊技者にとって視認困難となるように覆うカバー部材を設け、前記可動演出部材がその移動経路における一端から他端に向かうに従って前記可動演出部材が徐々に前記カバー部材の外側に露出していくように構成したことを特徴とする請求項１乃至４の何れか１の請求項に記載の遊技機。
【請求項６】
前記可動演出部材は、進退方向が横方向より長い形状をなし、前記カバー部材の内側の収納部は、前記可動演出部材が進退する進退口からの奥行きより横幅が広く形成されると共に、その横幅方向に前記進退口が配置され、
前記可動演出部材は、前記収納部外に露出した状態から前記進退口に対してカーブを切りながら入っていき、前記収納部の横幅方向に前記可動演出部材の長手方向を向けた状態にして収納されるように、前記演出回動位置決定ガイドによってガイドされることを特徴とする請求項５に記載の遊技機。
【請求項７】
移動経路における一端又は他端に向かって移動した前記可動演出部材によってオン又はオフされる検出スイッチを備えたことを特徴とする請求項１乃至６の何れか１の請求項に記載の遊技機。
【請求項８】
前記可動演出部材は、移動経路における一端又は他端の手前で上下方向又は斜め上下方向に降下して前記移動経路の下端としての一端又は他端で停止するように構成され、
前記ベース部材には、前記移動経路の下端に向かって降下する前記可動演出部材から力を受けて弾性変形するアシスト弾性部材が備えられていることを特徴とする請求項１乃至６の何れか１の請求項に記載の遊技機。
【請求項９】
前記ベース部材に往復動可能に支持されて待受位置と作動位置との間を往復動する往復部材を設け、前記アシスト弾性部材は、前記往復部材を前記待受位置に向けて付勢するように組み付けられ、
前記移動経路の下端に向かって降下する前記可動演出部材が、前記待受位置の前記往復部材に当接して前記作動位置まで押し下げるように構成したことを特徴とする請求項８に記載の遊技機。
【請求項１０】
前記往復部材が前記作動位置に位置しているか否かを検出する検出スイッチを備えたことを特徴とする請求項９に記載の遊技機。
【請求項１１】
前記動力伝達車は、ピニオンであり、前記線状受動部は、前記ピニオンに噛合したラックであることを特徴とする請求項１乃至１０の何れか１の請求項に記載の遊技機。
【発明の詳細な説明】
【技術分野】
【０００１】
本発明は、ベース部材に対して第１位置と第２位置との間で移動する可動演出部材を備えた遊技機に関する。
【背景技術】
【０００２】
従来、この種の遊技機として、可動演出部材が、ラックアンドピニオン機構によって直線状に進退するものが知られている（例えば、特許文献１参照）。
【先行技術文献】
【特許文献】
【０００３】
【特許文献１】特開２００６−１９２１５４号公報（段落［００７２］、図６）
【発明の概要】
【発明が解決しようとする課題】
【０００４】
しかしながら、上述した従来の遊技機では、可動演出部材の動きが単調であるため趣向性に欠けるという問題があった。
【０００５】
本発明は、上記事情に鑑みてなされたもので、従来より趣向性を高めることが可能な遊技機の提供を目的とする。
【課題を解決するための手段】
【０００６】
上記目的を達成するためになされた請求項１の発明に係る遊技機は、ベース部材に対して向きを変えながら第１位置と第２位置との間で移動する可動演出部材を備えた遊技機において、ベース部材に回転可能に支持された回転軸を中心に回転駆動される動力伝達車と、動力伝達車を回転駆動するための回転駆動源と、可動演出部材に固定されて、動力伝達車と係合する線状受動部と、可動演出部材からベース部材に向かって突出した可動係合突部と、ベース部材に設けられて、その形状に沿って可動係合突部が移動可能に係合する少なくとも一部が曲線状に形成された演出回動位置決定ガイドとを備え、線状受動部と動力伝達車は、動力伝達車を中心とした線状受動部の回転を許容した状態で係合状態に保持され、動力伝達車の回転に伴って線状受動部と共に可動演出部材が第１位置と第２位置との間で移動ると共に演出回動位置決定ガイドにおける可動係合突部の位置が変化し、可動係合突部の位置が演出回動位置決定ガイドの曲線形状に沿って変化する際に、線状受動部が動力伝達車の回転方向に回転し、可動演出部材が第１位置と第２位置との間で移動する際の向きが変更されるように構成したところに特徴を有する。
【０００７】
請求項２の発明は、請求項１に記載の遊技機において、可動演出部材の移動経路における一端に配置された可動部材を視認困難にするカバー部材を備え、可動演出部材の移動経路における一端から他端に向かうに従って、動力伝達車と可動係合突部との距離が徐々に縮まるように構成したところに特徴を有する。
【０００８】
請求項３の発明は、請求項１又は２に記載の遊技機において、線状受動部は、直線状に形成されたところに特徴を有する。
【０００９】
請求項４の発明は、請求項１乃至３の何れか１の請求項に記載の遊技機において、演出回動位置決定ガイドは、直線部を有し、可動演出部材の移動に伴って可動係合突部が演出回動位置決定ガイドの直線部を通過する際に、その直線部と線状受動部とが略平行になって、可動演出部材が向きを変更せずに移動するように構成したところに特徴を有する。
【００１０】
請求項５の発明は、請求項１乃至４の何れか１の請求項に記載の遊技機において、可動演出部材の移動経路における一端に配置された可動演出部材の少なくとも一部を、遊技者にとって視認困難となるように覆うカバー部材を設け、可動演出部材がその移動経路における一端から他端に向かうに従って可動演出部材が徐々にカバー部材の外側に露出していくように構成したところに特徴を有する。
【００１１】
請求項６の発明は、請求項５に記載の遊技機において、可動演出部材は、進退方向が横方向より長い形状をなし、カバー部材の内側の収納部は、可動演出部材が進退する進退口からの奥行きより横幅が広く形成されると共に、その横幅方向に進退口が配置され、可動演出部材は、収納部外に露出した状態から進退口に対してカーブを切りながら入っていき、収納部の横幅方向に可動演出部材の長手方向を向けた状態にして収納されるように、演出回動位置決定ガイドによってガイドされるところに特徴を有する。
【００１２】
請求項７の発明は、請求項１乃至６の何れか１の請求項に記載の遊技機において、移動経路における一端又は他端に向かって移動した可動演出部材によってオン又はオフされる検出スイッチを備えたところに特徴を有する。
【００１３】
請求項８の発明は、請求項１乃至６の何れか１の請求項に記載の遊技機において、可動演出部材は、移動経路における一端又は他端の手前で上下方向又は斜め上下方向に降下して移動経路の下端としての一端又は他端で停止するように構成され、ベース部材には、移動経路の下端に向かって降下する可動演出部材から力を受けて弾性変形するアシスト弾性部材が備えられているところに特徴を有する。
【００１４】
請求項９の発明は、請求項８に記載の遊技機において、ベース部材に往復動可能に支持されて待受位置と作動位置との間を往復動する往復部材を設け、アシスト弾性部材は、往復部材を待受位置に向けて付勢するように組み付けられ、移動経路の下端に向かって降下する可動演出部材が、待受位置の往復部材に当接して作動位置まで押し下げるように構成したところに特徴を有する。
【００１５】
請求項１０の発明は、請求項９に記載の遊技機において、往復部材が作動位置に位置しているか否かを検出する検出スイッチを備えたところに特徴を有する。
【００１６】
請求項１１の発明は、請求項１乃至１０の何れかに記載の遊技機において、動力伝達車は、ピニオンであり、線状受動部は、ピニオンに噛合したラックであるところに特徴を有する。
【発明の効果】
【００１７】
［請求項１の発明］
請求項１の発明に係る遊技機では、動力伝達車が回転駆動されると、線状受動部によって可動演出部材がベース部材に対して第１位置と第２位置との間で移動する。このとき、可動演出部材からベース部材に向かって突出した可動係合突部が、ベース部材の演出用回動位置決定ガイドに沿って移動する。そして、可動係合突部の位置が演出回動位置決定ガイドの曲線形状に沿って変化することで、可動演出部材が移動する際の向きが変更される。このように、本発明によれば、可動演出部材が向きを変更しながら第１位置と第２位置との間で移動するという、従来の遊技機にはなかった可動演出部材の動きを達成することができ、趣向性を高めることができる。
【００１８】
［請求項２の発明］
動力伝達車と可動係合突部との距離は、可動演出部材が移動経路における一端から他端に向かうに従って、徐々に離れるように構成してもよいし、一旦縮まった後、離れるように構成してもよいし、一旦離れた後、縮まるように構成してもよいし、請求項２の発明のように、徐々に縮まるように構成してもよい。また、請求項２の発明によれば、可動演出部材を移動経路の一端から他端に移動させるにつれて、可動演出部材を徐々に出現させる動作が可能となる。
【００１９】
［請求項３の発明］
線状受動部は、曲線状であってもよいし、曲線部と直線部を両方有する形状であってもよいし、請求項３の発明のように、直線状であってもよい。請求項３の発明によれば、線状受動部の構造を簡易にすることができる。
【００２０】
［請求項４の発明］
請求項４の発明によれば、可動演出部材が第１位置と第２位置との間で移動する際に、向きを変更した後、一気に直線状に移動させることができる。
【００２１】
［請求項５の発明］
請求項５の発明によれば、移動経路の一端においてカバー部材によって視認困難であった可動演出部材が、移動経路の他端に向かうに従って徐々に視認可能となるので、遊技者に驚きを与えることができる。
【００２２】
［請求項６の発明］
請求項６の発明では、可動演出部材が、遊技者にとって視認可能な位置から直線的な動きでは収納できない狭いスペースへとカーブを切りながら収納されるので、遊技者に意外性を与えることができる。しかも、可動演出部材が直線状に移動して収納される場合と比較して、可動演出部材をコンパクトに収納することができる。
【００２３】
［請求項７の発明］
請求項７の発明によれば、可動演出部材が移動経路における一端又は他端に配置されたことを検出スイッチによって検出することができる。
【００２４】
［請求項８，９の発明］
請求項８，９の発明によれば、可動演出部材が移動経路の下端から上方又は斜め上方に移動する際に、アシスト弾性部材から力を受けるので、回転駆動源にかかる負荷を低減することができる。
【００２５】
［請求項１０の発明］
また、請求項１０の発明の構成では、移動経路の下端に配置された可動演出部材に当接して作動位置まで押し下げられた往復部材は、検出スイッチにて検出される。すなわち、往復部材を可動演出部材とは別部品で構成しているため、可動演出部材が移動する際にガタが大きくなってしまう構成であっても、往復部材が移動することで検出スイッチによる位置検出を行えばよく、可動演出部材の位置検出をより正確に行うことが可能となる。
【００２６】
［請求項１１の発明］
動力伝達車と線状受動部の組合せは、摩擦車と摩擦ベルトであってもよいし、請求項１１の発明のように、ピニオンとラックであってもよい。請求項１１の発明によれば、可動演出部材の遊技領域に対する奥行き方向への寸法を小さく構成することが可能になる。
【図面の簡単な説明】
【００２７】
【図１】本発明の一実施形態に係る遊技機の正面図
【図２】可動演出部材が第２演出位置にあるときの遊技板の正面図
【図３】可動演出部材が第１演出位置にあるときの可動役物装置の正面図
【図４】可動演出部材が第２演出位置にあるときの可動役物装置の正面図
【図５】ベース部材の構成部品の前方斜視図
【図６】ベース部材の構成部品の後方斜視図
【図７】可動演出部材の構成部品の前方斜視図
【図８】可動演出部材の構成部品の後方斜視図
【図９】前側カバー及び支持プレートの前方斜視図
【図１０】前側カバー及び支持プレートの後方斜視図
【図１１】可動演出部材が第１演出位置にあるときの前側カバー及び可動演出部材の後面図
【図１２】可動演出部材が第１演出位置にあるときのラックの断面図
【図１３】図１２におけるＡ−Ａ断面図
【図１４】可動係合突部がガイド孔の第２湾曲部にあるときの前側カバー及び可動演出部材の後面図
【図１５】可動係合突部がガイド孔の第２湾曲部にあるときのピニオン及びラックの断面図
【図１６】可動係合突部がガイド孔の第１湾曲部にあるときのピニオン及びラックの断面図
【図１７】可動係合突部がガイド孔の直線部にあるときのピニオン及びラックの断面図
【図１８】変形例に係る前側カバー及び可動演出部材の後面図
【発明を実施するための形態】
【００２８】
以下、本発明を適用したパチンコ遊技機１０に係る一実施形態を、図１〜図１７に基づいて説明する。図１に示すように、遊技板１１の前面には、ガイドレール１２で囲まれたほぼ円形の遊技領域Ｒ１が形成されている。
【００２９】
遊技板１１の前面は、パチンコ遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられている。また、前面枠１０Ｚのうちガラス窓１０Ｗより上側の両角位置には、それぞれスピーカ２５，２５が設けられている。前面枠１０Ｚのうちガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球が遊技領域Ｒ１に向けて弾き出される。なお、上皿２６に備えたボタン（図示せず）を押すと上皿２６に収容されている遊技球が下皿２７へと移動する。
【００３０】
図２に示すように、遊技板１１のうち遊技領域Ｒ１の中央には、遊技板表示窓１０Ｈが貫通形成されており、その遊技板表示窓１０Ｈに遊技板１１の裏面側から表示装置３０が対向している。表示装置３０は、液晶モジュール（例えば、ＴＦＴ−ＬＣＤモジュール）で構成され、その表示画面３０Ｇが、遊技板１１の奥側に配置されている。
【００３１】
遊技板１１の前面中央には、表示画面３０Ｇを囲むように表示装飾枠２３が取り付けられている。表示装飾枠２３は、遊技板１１の前面側から遊技板表示窓１０Ｈに嵌め込まれ、遊技板表示窓１０Ｈの内側に張り出すと共に、遊技板１１の前面から突出している。そして、遊技領域Ｒ１を流下する遊技球が、表示装飾枠２３の前側を通過して表示装飾枠２３の内側に進入しないように構成されている。
【００３２】
遊技領域Ｒ１のうち表示装飾枠２３の下方における左右方向の中央部には、第１及び第２の始動入賞口１４Ａ，１４Ｂ、第１大入賞口１５及びアウト口１６が、上から順に間隔を開けて並べて設けられている。また、第１大入賞口１５の左右両側には、サイド入賞口２１，２１が設けられ、始動入賞口１４Ａ，１４Ｂの左側には、ガイドレール１２に沿って一般入賞口２０，２０が設けられている。また、表示装飾枠２３の左側には風車１９が設けられ、表示装飾枠２３の右側には始動ゲート１８が設けられている。また、遊技領域Ｒ１には多数の障害釘が植設されている。
【００３３】
遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入賞すると、その遊技球は遊技板１１の裏側に取り込まれ、代わりに所定数の賞球が上皿２６に払い出される。
【００３４】
始動ゲート１８は、遊技球が潜って通過可能な門形構造をなしている。始動ゲート１８を遊技球が通過すると当否判定が行われる。その当否判定の結果は、遊技領域Ｒ１の外側の普通図柄表示部３８にて表示される。例えば、当否判定の結果が当たりの場合には、普通図柄表示部３８が点灯表示され、外れの場合には、消灯する。なお、普通図柄表示部３８が変動表示の最中に始動ゲート１８を遊技球が通過した場合、その通過球は最大で４個まで保留記憶される。そして、普通図柄表示部３８の変動表示が終了すると、その保留記憶に基づいて再び普通図柄表示部３８が変動表示される。なお、保留記憶数は、普通図柄表示部３８の下方にある普通図柄保留数用ＬＥＤ３７の点灯数によって遊技者に報知される。
【００３５】
第１及び第２の始動入賞口１４Ａ，１４Ｂは、共に遊技板１１の前面から突出した部材の上面に遊技球が１つずつ入賞可能な開口を備えた、所謂、ポケット構造をなしている。
【００３６】
第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には、起立状態になっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、上述した「小当たり」となった場合に可動翼片１４Ｃ，１４Ｃが所定期間に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３７】
また、各始動入賞口１４Ａ，１４Ｂに遊技球が入賞すると、例えば、１個の入賞につき４個の遊技球が上皿２６に払い出されると共に当否判定が行われる。その判定結果は、表示装置３０の表示画面３０Ｇにて表示される。
【００３８】
具体的には、表示画面３０Ｇには、通常、３つの左、中、右の特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、始動入賞口１４Ａ，１４Ｂに遊技球が入賞したときに、これら３つの特別図柄が変動表示（上下方向にスクロール表示）され、所定時間後に、例えば、左、右、中の順で各特別図柄が停止表示される。始動入賞口１４Ａ，１４Ｂへの入賞に起因した当否判定結果が当たり（以下、「大当たり」という）の場合には、３つの特別図柄が全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００３９】
ここで、表示画面３０Ｇにて特別図柄が変動表示している最中又は「大当たり遊技」の最中に各始動入賞口１４Ａ，１４Ｂに入賞した遊技球の数は、所定の保留限度数（４個）まで保留記憶され、特別図柄が外れの図柄組み合わせで停止表示又は「大当たり遊技」が終了すると、その保留記憶に基づいて再び、特別図柄の変動表示が開始される。なお、保留記憶数は、上述した普通図柄用保留数用ＬＥＤ３７の下方にある特別図柄保留数用ＬＥＤ３９の点灯数によって遊技者に報知される。特別図柄保留数用ＬＥＤ３９等と共に遊技領域Ｒ１の外側に配置されている７セグメントＬＥＤ３６は、表示画面３０Ｇで表示される特別図柄と連動して変動表示及び停止表示される。
【００４０】
本実施形態のパチンコ遊技機１０では、「大当たり状態」が２種類備えられ、抽選によって何れか一方に振り分けられるようになっている。以下では、それら２種類の大当たり状態を、「第１の大当たり状態」、「第２の大当たり状態」と区別して呼ぶことにする。
【００４１】
第１大入賞口１５は横長矩形状をなしており、通常の遊技状態では、可動扉１５Ｔにて閉塞されている。そして、「第１の大当たり状態」になると、図１に示すように、可動扉１５Ｔが所定期間に亘って前側に倒される。すると、第１大入賞口１５が前方に開放し、可動扉１５Ｔを案内にして第１大入賞口１５に多くの遊技球が入賞可能となる。
【００４２】
第１大入賞口１５に遊技球が入賞すると、例えば、１個の入賞につき１５個の遊技球が上皿２６に払い出される。
【００４３】
表示装飾枠２３は、中央に開口部を備え、前面が、表示装置３０で行われる表示演出に対応したデザイン形状をなしている。表示装飾枠２３の下辺の内側上面は、遊技球が左右に転動可能なステージ２４となっている。また、表示装飾枠２３の右側辺には、第２大入賞口１７が設けられている。第２大入賞口１７は、通常の遊技状態では、回動蓋１７Ｔにて閉塞されている。そして、上述した「第２の大当たり状態」になると、回動蓋１７Ｔが所定期間に亘って下端部を中心に右側方に倒される。すると、第２大入賞口１７が右側方に開放し、回動蓋１７Ｔを案内にして第２大入賞口１７に多くの遊技球が入賞可能となる。第２大入賞口１７に遊技球が入賞した場合も、上述した第１大入賞口１５の場合と同様に、１個の入賞につき所定個数の遊技球が上皿２６に払い出される。
【００４４】
上述した各入賞口１４Ａ，１４Ｂ，１５，１７，２０，２１の何れにも入賞しなかった遊技球は、遊技領域Ｒ１の下端に配置されたアウト口１６に全て取り込まれる。
【００４５】
さて、表示装飾枠２３の側辺部の裏側には、図３に示す可動役物装置４０，４０が表示画面３０Ｇを挟んで左右対称に備えられている。可動役物装置４０，４０は、遊技板１１に固定された左右のベース部材４１，４１と、ベース部材４１，４１に支持されかつ演出内容に応じたデザイン形状で装飾された可動演出部材７０，７０とで構成され、それら可動演出部材７０，７０によって、動作演出を行うようになっている（図４参照）。
【００４６】
具体的には、可動演出部材７０は、通常、図３に示すように、表示装飾枠２３の側辺部に前方が覆われて、全体が遊技者に視認困難となっている。そして、予め定められた所定の条件が成立すると、可動演出部材７０は、図４に示すように、全体が表示装飾枠２３から飛び出して、表示画面３０Ｇの前方に配置される。即ち、本実施形態では、表示装飾枠２３が本発明の「カバー部材」に相当し、表示装飾枠２３の側辺部の裏側に、本発明の収納部６１が構成されている。収納部６１は、上下方向が左右方向よりも長くなった形状になっていて、収納部６１のうち表示画面３０Ｇ側の上方が、本発明の進退口６２になっている。なお、収納部６１の左右方向の大きさが、本発明に係る「進退口からの奥行き」に相当し、収納部６１の上下方向が、本発明に係る「収納部の横幅方向」に相当する。
【００４７】
図５に示すように、ベース部材４１は、遊技板１１に重ねた状態でビス止めされる支持ベース４３と、支持ベース４３の前面及び後面、それぞれを覆った前側カバー４４、後側カバー４５とを備えている。
【００４８】
支持ベース４３は、上下方向に長くかつ前後方向に薄くなった板状になっていて、支持ベース４３の下端部に形成されたモータ支持壁４３Ｋに、本発明の「回転駆動源」に相当するモータ６０が組み付けられている。詳細には、モータ６０は、モータステータの端面に減速機を一体に備え、その減速機の端面がモータ支持壁４３Ｋに押し付けられた状態で固定されている。また、モータ６０の減速機の出力軸は、モータ支持壁４３Ｋに形成されたスリット４３Ｓを通って支持ベース４３の裏側へ貫通し、その出力軸の先端部に駆動歯車６０Ａが取り付けられている。
【００４９】
支持ベース４３の裏側には、複数の中継歯車４６が上下方向に並べて配置されると共に、支持ベース４３と後側カバー４５との間で回転可能に軸支されている。隣接する中継歯車４６同士は互いに噛合し、最も下方に配置された下端中継歯車４６Ａには、上述した駆動歯車６０Ａが噛合している。これにより、モータ６０の駆動力を最も上方に配置された上端中継歯車４６Ｂへ伝達可能になっている。また、上端中継歯車４６Ｂには、巻きバネ４６Ｃが可動演出部材７０を表示画面３０Ｇの前方に配置する方向（図４参照）に向けて付勢された状態で配置されている。これにより、後述するように、巻きバネ４６Ｃによって可動演出部材７０を上方に駆動するモータ６０にかかる負荷を低減することができる。
【００５０】
支持ベース４３の前面のうち、上下方向の中間位置には、突出壁４７が形成されている。突出壁４７は、支持ベース４３の左右方向の中間部に配置され、左右方向に延びた直線部４７Ａと、直線部４７Ａの一端から、さらに一端側へ向かうに従って下方に向かうように湾曲した第１湾曲部４７Ｂと、第１湾曲部４７Ｂの下端から、さらに下方に向かうに従って他端側へ向かうように湾曲した第２湾曲部４７Ｃとで構成されている。
【００５１】
支持ベース４３のうち突出壁４７の直線部４７Ａの他端側（即ち、第１湾曲部４７Ｂと反対側）には、シャフト挿通孔４３Ａが貫通形成されている。また、シャフト挿通孔４３Ａの下方には、センサ受容孔４３Ｂが設けられている。
【００５２】
図６に示すように、前側カバー４４は、縦長の平板体４８の外縁部から包囲壁４９が支持ベース４３に向かって起立したケース状をなし、支持ベース４３のうちモータ支持壁４３Ｋの上側部分を覆うように配置されている。詳細には、支持ベース４３の上端部には、突片４３Ｃが形成され、前側カバー４４は、支持ベース４３のうち突片４３Ｃと上述したモータ支持壁４３Ｋを除く部分を覆っている。
【００５３】
前側カバー４４の裏側には、上述した上端中継歯車４６Ｂと噛合する第２駆動歯車５０が組み付けられている。具体的には、平板体４８の裏面のうち上端寄り位置であって左右方向の一端側（図６における右側）には、支軸部５１が設けられ、その支軸部５１に回転可能に軸支された回転シャフト５２の後端部に第２駆動歯車５０固定されている。回転シャフト５２は、平板体４８を貫通し、前端部に本発明に係るピニオン５６（本発明の「動力伝達車」にも相当する）が固定されている（図５参照）。
【００５４】
平板体４８のうち支軸部５１の下方には、斜め上下方向に延びた直動ガイド溝９１が形成され、直動ガイド溝９１に沿って被検出部材９０が往復動可能に備えられている。被検出部材９０は、全体が縦長になった本体部９０Ａと、本体部９０Ａの上端部から側方に張り出したフック部９０Ｆと、本体部９０Ａの下端部から後方へ突出しかつ側方に延びた当接片９０Ｔとを備えている（図１０参照）。フック部９０Ｆには、引っ張りバネ９９（図１１参照）の一端が取り付けられている。この引っ張りバネ９９は、他端が支軸部５１の下方に形成されたフック９５に取り付けられ、これにより、被検出部材９０が斜め上方に付勢されている。
【００５５】
ここで、被検出部材９０は、本発明の「往復部材」に相当し、被検出部材９０が往復動可能な範囲の下端位置（図１１参照）が本発明の「作動位置」に、上端位置（図１４参照）が本発明の「待受位置」にそれぞれ相当する。また、引っ張りバネ９９が、本発明の「アシスト弾性部材」に相当する。
【００５６】
前側カバー４４のうち被検出部材９０の側方位置には、検出スイッチ９３が組み付けられている。検出スイッチ９３には、信号発信部９３Ａ及び信号受信部９３Ｂが前後方向で間隔をあけて備えられ、それら信号発信部９３Ａと信号受信部９３Ｂの間を被検出部材９０のフック部９０Ｆが通過するように構成されている。そして、被検出部材９０が往復動可能な範囲の下端位置に配置されると、フック部９０Ｆが信号発信部９３Ａと信号受信部９３Ｂとの間に配置され、検出スイッチ９３が検知信号を図示しない制御装置へ送信するようになっている。なお、検出スイッチ９３からは図示しないケーブルがケーブル用通路９３Ｃを通ってベース部材４１の外側に引き出されている。
【００５７】
また、検出スイッチ９３は、センサカバー９２（図１０参照）にて後側が覆われている。また、センサカバー９２は、被検出部材９０の本体部９０Ａの後方に配置されて、被検出部材９０を後方へ抜け止めしている。
【００５８】
図９に示すように、前側カバー４４のうち回転シャフト５２が配置された部分と反対側（図９における右側）の下端部には、基板取付部９６が備えられ、基板取付部９６に、可動演出部材７０に取り付けたＬＥＤを制御するための回路基板９６Ｋが取り付けられている。なお、回路基板９６Ｋは基板取付部９６の下端部に固定され、回路基板９６Ｋと可動演出体７０とを接続する導線９６Ｄ（図３参照）は、基板取付部９６の内部を通って上方に引き出されている。
【００５９】
前側カバー４４のうち、基板取付部９６と反対側の側部には、第１突壁９７と第２突壁９８とが備えられている。第１突壁９７は、回転シャフト５２よりも若干上方位置で水平方向に延びている。第２突壁９８は、回転シャフト５２より若干下方位置で、第１突壁９１よりも前側カバー４４の幅方向中央へと延びた水平部９８Ａと、水平部９８Ａの先端から下方へ延びた下方延出部９８Ｂとで構成されている。
【００６０】
前側カバー４４の平板体４８には、本発明の「演出回動位置決定ガイド」に相当するガイド孔５３が貫通形成されている。ガイド孔５３は、左右方向に延びた直線部５４と、直線部５４の一端から蛇行しながら下方へ延びた曲線部５５とで構成されている。なお、ガイド孔５３の支軸部５１側の開口縁に、上述した支持ベース４３の突出壁４７が突き当てられている。
【００６１】
ガイド孔５３の直線部５４は、支軸部５１の上方位置から平板体４８の左右方向の中間位置に亘って配置されている。また、曲線部５５は、直線部５４のうち支軸部５１と反対側の端部から更に支軸部５１から離れるにつれて下方へ向かうように湾曲した第１湾曲部５５Ａと、第１湾曲部５５Ａの下端部から下方に向かうに従って支軸部５１側へ接近するように湾曲した第２湾曲部５５Ｂとで構成されている。なお、第２湾曲部５５Ｂの下端部は、直動ガイド溝９１を挟んで検出スイッチ９３と反対側に配置されている。
【００６２】
次に、可動演出部材７０について説明する。図７に示すように、可動演出部材７０は、支持プレート７１に、ＬＥＤ基板７２、コネクタケース７３、装飾カバー７４を組み付けてなる。装飾カバー７４は、縦長かつ後方で開口した容器状になっていて、前側部分に装飾が施されている。そして、装飾カバー７４の開口が、支持プレート７１にて覆われると共に、その支持プレート７１と装飾カバー７４との間にＬＥＤ基板７２が配置されている。
【００６３】
ＬＥＤ基板７２は、ＬＥＤ基板７２の上端寄り位置、上下方向の中間位置、下端寄り位置それぞれの位置で複数のＬＥＤ７２Ａを横並びにして備えている。また、ＬＥＤ基板７２の下端部は、装飾カバー７４よりも下方に飛び出し、そこに、複数のＬＥＤ７２Ａを外部電源と接続するためのコネクタ部７２Ｂが設けられている。そのコネクタ部７２Ｂは、装飾カバー７４の下方に配置されたコネクタケース７３にて前方が覆われている。なお、装飾カバー７４のうちＬＥＤ７２Ａの前方に配置された部分は、透明になっていて、ＬＥＤ７２Ａの光が透過可能になっている。
【００６４】
支持プレート７１は、支持ベース４３の平板体４８と平行に配置され、支持プレート７１の前面には、装飾カバー７４を螺子止めするための複数の取付孔７１Ａ、ＬＥＤ基板７２を螺子止めするための複数の取付筒部７１Ｂ及び複数の補強リブ７１Ｃが備えられている。また、支持プレート７１の下端部は、装飾カバー７４より下方にはみ出しており、そこにコネクタケース７３が固定されている。
【００６５】
図９に示すように、支持プレート７１の幅方向の一端側には、下端部から上下方向の中間位置にかけて長孔７１Ｎが形成されている。支持プレート７１の前面のうち幅方向の中央側に位置する長孔７１Ｎの開口縁部には、長孔７１Ｎに沿って突壁７１Ｔが形成され、その突壁７１Ｔのうち長孔７１Ｎに臨んだ側面にラック７５（本発明の「線状受動部」にも相当する）が形成されている。また、上述したベース部材４１に備えた回転シャフト５２の前端部が長孔７１Ｎを貫通し、ラック７５とピニオン５６とが噛合している。そして、ラック７５とピニオン５６で構成されたラックアンドピニオン機構によって、可動演出部材７０は、支持プレート７１と平行な基準平面Ｍ１（図１３参照）内で前進又は後退が可能になっている。
【００６６】
また、長孔７１Ｎの幅は、ピニオン５６の外径よりも小さくなっていて、ピニオン５６が、可動演出部材７０からベース部材４１側へ外れないように抜け止めされている。
【００６７】
図８に示すように、支持プレート７１の後面には、長孔７１Ｎの外形に沿って形成された先端側リブ７６及び基端側リブ７７が、長孔７１Ｎの長手方向で対向配置されている。先端側リブ７６は、長孔７１Ｎの幅方向で対向した１対の対向部７６Ａ，７６Ａと、それら１対の先端側対向部７６Ａ，７６Ａを連絡した先端側円弧部７６Ｂとで構成されている。基端側リブ７７についても同様に、１対の基端側対向部７７Ａ，７７Ａと基端側円弧部７７Ｂとで構成されている。
【００６８】
１対の先端側対向部７６Ａ，７６Ａでは、支持プレート７１の幅方向の中央側の先端側対向部７６Ａの方が、外側の先端側対向部７６Ａよりも長くなっている。一方、１対の基端側対向部７７Ａ，７７Ａでは、支持プレートの幅方向の中央側の基端側対向部７７Ｂの方が、外側の基端側対向部７７Ａよりも短くなっている。また、中央側の先端側対向部７６Ａと基端側対向部７７Ａとの間隔は、外側の先端側対向部７６Ａと基端側対向部７７Ａとの間隔よりも大きくなっている。
【００６９】
先端側円弧部７６Ｂの上端及び基端側円弧部７７Ｂの下端からは、直線リブ７８Ａ，７８Ａが長孔７１Ｎの長手方向に沿って延びている。また、支持プレート７１の後面には、直線リブ７８Ａ，７８Ａと平行な直線リブ７８Ｂが、可動係合突部８０の側方であって長孔７１Ｎと反対側に設けられている。
【００７０】
先端側リブ７６、基端側リブ７７、直線リブ７８Ａ，７８Ｂは、支持プレート７１からの突出高さが同じになっていて、それらリブ７６，７７，７８Ａ，７８Ｂがベース部材４１の前側カバー４４に突き当てられた状態、即ち、可動演出部材７０の支持プレート７１が前側カバー４４に最も接近した状態でも、ピニオン５６がラック７５から前方へ外れないようになっている。そして、このピニオン５６をラック７５から前方へ外れないようにする機構と、上述したピニオン５６が長孔７１Ｎから後方へ抜け止めされる機構とによって、ピニオン５６とラック７５とが、ピニオン５６を中心としたラック７５の回転を許容した状態で係合状態に保持されている。
【００７１】
また、支持プレート７１の後面には、ベース部材４１へ向かって突出した可動係合突部８０が設けられている。可動係合突部８０は、支持プレート７１の幅方向の他端側、即ち、長孔７１Ｎと反対側の下端部に配置され、支持ベース４３のガイド孔５３に沿って移動可能になっている。具体的には、可動係合突部８０は、ガイド孔５３を貫通した軸部８０Ａと、軸部８０Ａの後端から下方に向かって延びた当接片８０Ｂとで構成され、当接片８０Ｂによって前方へ抜け止めされている。また、軸部８０Ａには、摺接リング８１が装着され、これにより、可動係合突部８０がガイド孔５３に沿ってスムーズに移動できるようになっている。
【００７２】
本発明のパチンコ遊技機１０の構成に関する説明は以上である。次に、可動役物装置４０の動作について説明する。なお、以下では、図３に示す可動演出部材７０の位置を「第１演出位置」（本発明の「第１位置」に相当する）と、図４に示す可動演出部材７０の位置を「第２演出位置」（本発明の「第２位置」に相当する）と呼び、第１演出位置における可動演出部材７０の下端を「基端」、上端を「先端」と呼ぶことにする。
【００７３】
図１２に示すように、可動演出部材７０が第１演出位置にあるとき、ベース部材４１のピニオン５６は、ラック７５の先端側（図１２における上側）位置で噛合している。可動係合突部８０は、ガイド孔５３の下端部に位置し、可動係合突部８０の当接片８０Ｂが被検出部材９０の当接片９０Ｔと当接して被検出部材９０を引っ張りバネ９９の付勢力に抗して下端位置（作動位置）へ押しつけている（図１１参照）。また、可動演出部材７０は、基端部と先端部を結ぶ方向、即ち、長手方向が収納部６１（図４参照）の横幅方向（図４における上下方向）を向いた状態で収納されて、全体が遊技者から視認困難になっている。
【００７４】
モータ６０が回転駆動されると、その駆動力が複数の中継歯車４６（図５参照）を介して伝達され、回転シャフト５２のピニオン５６が回転する。すると、図１５に示すように、ピニオン５６とラック７５との噛合位置が、ラック７５の基端側へと変化し、可動演出部材７０は、先端部を先頭に、基端部を最後尾にして基準平面Ｍ１（図１３参照）内を前進する。このとき、可動係合突部８０は、ガイド孔５３の第２湾曲部５５Ｂに沿って回転シャフト５２から離れる方向に移動し、ラック７５がピニオン５６を中心に回転して可動演出部材７０が斜めに配置される。即ち、可動演出部材７０が前進する向きが斜め上方へと変更される（図１４参照）。そして、可動演出部材７０は、収納部６１の進退口６２から表示画面３０Ｇの前方へ飛び出し、先端部が遊技者に視認されるようになる。
【００７５】
ここで、図１４に示す状態では、可動係合突部８０は、引っ張りバネ９９の付勢力によって上方へ押されている。つまり、第１演出位置にある可動演出部材７０は、引っ張りバネ９９によって上方に付勢されている。これにより、可動演出部材７０を駆動するモータ６０にかかる負荷を低減することができる。また、可動係合突部８０の移動に伴って、可動係合突部８０の当接片８０Ｂと被検出部材９０の当接片９０Ｔとの当接が解除されると、引っ張りバネ９９の付勢力によって被検出部材９０が往復動可能な範囲の上端位置（待受位置）に配置され、フック部９０Ｆが検出スイッチ９１に検出されなくなる。また、可動演出部材７０を表示画面３０Ｇの前方に配置する方向（図４参照）に向けて付勢された状態で配置されている巻きバネ４６Ｃによっても可動演出部材７０を上方に駆動するモータ６０にかかる負荷を低減することができる。
【００７６】
図１６に示すように、ピニオン５６がさらに回転すると、ピニオン５６とラック７５との噛合位置が、ラック７５のさらに基端側へと変化する。ラック７５は、ピニオン５６を中心としてさらに回転し、可動演出部材７０は、前進する向きが水平方向に近づいていく。図１７に示すように、可動係合突部８０が、ガイド孔５３の直線部５４に到達すると、可動演出部材７０の長手方向が左右方向を向く。このとき、可動演出部材７０のラック７５が直線部５４と平行になり、可動演出部材７０が前進する向きが水平になる。
【００７７】
ピニオン５６がさらに回転して可動係合突部８０が直線部５４を移動すると、可動演出部材７０は、向きを変更せずに、進退口６２から水平方向に前進して第２演出位置に配置される。そして、可動演出部材７０の装飾カバー７４全体が、表示画面３０Ｇの前方に出現し、遊技者に視認されるようになる（図２参照）。このように、第１演出位置では視認困難であった可動演出部材７０が、水平方向に移動しながら一気に第２演出位置に配置されることで視認可能となるので、遊技者に驚きを与えることができる。
【００７８】
なお、可動演出部材７０が第１演出位置から第２演出位置へ移動する際、上述した前側カバー４４の第１突壁９７（図５参照）は、支持プレート７１の先端側リブ７６の先端側対向部７６Ａと、基端側リブ７７の基端側対向部７７Ａとの間の隙間を通って、支持プレート７１の幅方向の外側から中央側へと移動する。そして、基端側対向部７７Ａ，７７Ａが、第１突壁９７と第２突壁９８の水平部９８Ａとによって上下方向で挟まれる。これにより、可動演出部材７０が横方向に前進する際の上下方向のがたつきが抑えられる。また、可動演出部材７０は、第２突壁９８の水平部９８Ａによって、下方から支持される。
【００７９】
可動演出部材７０が第２演出位置に配置された状態で、ピニオン５６が逆方向に回転すると、可動演出部材７０は、第１演出位置から第２演出位置へ前進したときと真逆の動きで、つまり、可動演出部材７０の基端部を先頭に、先端部を最後尾にして第１演出位置へと後退する。
【００８０】
具体的には、可動係合突部８０がガイド孔５３の直線部５４を移動する間は、可動演出部材７０は、基端側から収納部６１の進退口６２へ入っていく（図４及び図１７参照）。可動係合突部８０がガイド孔５３の第１湾曲部５５Ａにさしかかると、可動演出部材７０は、基端部が下方を向くように向きを変更しながら後退し、収納口６１の下方へと入っていく（図１５及び図１６参照）。可動演出部材７０がさらに後退して第１演出位置に配置されると、全体が収納部６１に収容される（図３参照）。
【００８１】
可動演出部材７０が第１演出位置に配置されるとき、可動係合突部８０の当接片８０Ｂが被検出部材９０の当接片９０Ｔを下方に押しつけ、被検出部材９０が往復動可能な範囲の下端位置（作動位置）に移動する。そして、被検出部材９０が検出スイッチ９３にて検出される（図１１参照）。すなわち、被検出部材９０を可動演出部材７０とは別部品で構成しているため、可動演出部材７０が移動する際にガタが大きくなってしまう構成であっても、被検出部材９０が移動することで検出部材９３による位置検出を行えばよく、可動演出部材７０の位置検出をより正確に行うことが可能となる。
【００８２】
次に、本実施形態のパチンコ遊技機１０の作用効果について説明する。本実施形態のパチンコ遊技機１０では、駆動軸となるピニオン５６が回転駆動されると、ピニオン５６の駆動力を受ける受動部となるラック７５によって可動演出部材７０が基準平面Ｍ１内を前進又は後退する。このとき、可動演出部材７０からベース部材４１に向かって突出した可動係合突部８０が、ベース部材４１のガイド孔５３に沿って移動する。そして、可動係合突部８０の位置の変化によって、可動演出部材７０が前進又は後退する際の向きが変更される。このように、本実施形態によれば、可動演出部材７０が向きを変更しながら前進及び後退するという、従来の遊技機にはなかった可動演出部材７０の動きを達成することができ、趣向性を高めることができる。
【００８３】
また、本実施形態では、第１演出位置では表示装飾枠２３によって視認困難であった可動演出部材７０が、第２演出位置へ向かうに従って徐々に視認可能となるので、遊技者に驚きを与えることができる。しかも、可動演出部材７０が、遊技者にとって視認可能な位置から直線的な動きでは収納できない狭いスペースへとカーブを切りながら収納されるので、遊技者に意外性を与えることができる。さらに、可動演出部材が直線状に移動して収納される場合と比較して、可動演出部材７０をコンパクトに収納することができ、また、可動演出部材７０の大きさを最大限大きくとることができる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記実施形態では、本発明をパチンコ遊技機１０に適用した例を示したが、スロットマシンやアレンジボールに適用してもよい。
【００８６】
（２）前記実施形態では、可動演出部材が、向きを変更しながら前進した後、向きを変更せずに前進していたが、その逆、即ち、向きを変更せずに前進した後、向きを変更しながら前進する構成であってもよい。
【００８７】
（３）前記実施形態では、可動演出部材が、向きを変更しながら前進した後、向きを変更せずに前進する動作を１回だけ行っていたが、複数回繰り返す構成であってもよい。
【００８８】
（４）可動演出部材が、蛇行するように向きを変えながら直線状に変位する構成であってもよい。
【００８９】
（５）図１８に示すように、被検出部材９０の当接片９０Ｔの下方に、当接片９０Ｔを上方へ付勢する圧縮バネ９９Ｖが取り付けられた構成であってもよい。なお、本構成では、圧縮バネ９９Ｖが、本発明の「アシスト弾性部材」に相当する。
【００９０】
（６）前記実施形態では、可動演出部材７０が第１演出位置に配置されたことを、検出センサ９３が被検出部材９０を介して間接的に検出していたが、可動演出部材７０を直接検出するようにしてもよい。
【００９１】
（７）前記実施形態では、可動演出部材７０の動きの一部を視認困難にしていたが、可動演出部材７０の動きを全て視認可能としてもよい。この構成によれば、従来よりも可動演出部材による演出のバリエーションが増す。
【００９２】
（８）可動演出部材を、その周辺にある他の装置や部材等の間をすり抜けて移動するように構成してもよい。この構成によれば、スペースを有効に活用することができる。
なお、前記実施形態及び他の実施形態（１）〜（８）を概念化すると、以下の［１］〜［１１］の発明となる。
［１］ベース部材に対して向きを変えながら第１位置と第２位置との間で移動する可動演出部材を備えた遊技機において、
前記ベース部材に回転可能に支持された回転軸を中心に回転駆動される動力伝達車と、
前記動力伝達車を回転駆動するための回転駆動源と、
前記可動演出部材に固定されて、前記動力伝達車と係合する線状受動部と、
前記可動演出部材から前記ベース部材に向かって突出した可動係合突部と、
前記ベース部材に設けられて、その形状に沿って前記可動係合突部が移動可能に係合する少なくとも一部が曲線状に形成された演出回動位置決定ガイドとを備え、
前記線状受動部と前記動力伝達車は、前記動力伝達車を中心とした前記線状受動部の回転を許容した状態で係合状態に保持され、前記動力伝達車の回転に伴って前記線状受動部と共に前記可動演出部材が前記第１位置と前記第２位置との間で移動すると共に前記演出回動位置決定ガイドにおける前記可動係合突部の位置が変化し、その可動係合突部の位置が前記演出回動位置決定ガイドの曲線形状に沿って変化することで前記可動演出部材が前記第１位置と前記第２位置との間で移動する際の向きが変更されるように構成したことを特徴とする遊技機。
［１］に係る遊技機では、動力伝達車が回転駆動されると、線状受動部によって可動演出部材がベース部材に対して第１位置と第２位置との間で移動する。このとき、可動演出部材からベース部材に向かって突出した可動係合突部が、ベース部材の演出用回動位置決定ガイドに沿って移動する。そして、可動係合突部の位置が演出回動位置決定ガイドの曲線形状に沿って変化することで、可動演出部材が移動する際の向きが変更される。このように、本発明によれば、可動演出部材が向きを変更しながら第１位置と第２位置との間で移動するという、従来の遊技機にはなかった可動演出部材の動きを達成することができ、趣向性を高めることができる。
［２］前記可動演出部材の移動経路における一端に配置された前記可動演出部材を視認困難にするカバー部材を備え、
前記可動演出部材が移動経路における一端から他端に向かうに従って、前記動力伝達車と前記可動係合突部との距離が徐々に縮まるように構成したことを特徴とする［１］に記載の遊技機。
動力伝達車と可動係合突部との距離は、可動演出部材が移動経路における一端から他端に向かうに従って、徐々に離れるように構成してもよいし、一旦縮まった後、離れるように構成してもよいし、一旦離れた後、縮まるように構成してもよいし、［２］の構成のように、徐々に縮まるように構成してもよい。また、［２］の構成とした場合、可動演出部材を移動経路の一端から他端に移動させるにつれて、可動演出部材を徐々に出現させる動作が可能となる。
［３］前記線状受動部は、直線状に形成されたことを特徴とする［１］又は［２］に記載の遊技機。
線状受動部は、曲線状であってもよいし、曲線部と直線部を両方有する形状であってもよいし、［３］の構成のように、直線状であってもよい。［３］の構成とした場合、線状受動部の構造を簡易にすることができる。
［４］前記演出回動位置決定ガイドは、直線部を有し、
前記可動演出部材の移動に伴って前記可動係合突部が前記演出回動位置決定ガイドの前記直線部を通過する際に、その直線部と前記線状受動部とが略平行になって、前記可動演出部材が向きを変更せずに移動するように構成したことを特徴とする［１］乃至［３］の何れかに記載の遊技機。
［４］の構成とした場合、可動演出部材が第１位置と第２位置との間で移動する際に、向きを変更した後、一気に直線状に移動させることができる。
［５］前記可動演出部材の移動経路における一端に配置された前記可動演出部材の少なくとも一部を、遊技者にとって視認困難となるように覆うカバー部材を設け、前記可動演出部材がその移動経路における一端から他端に向かうに従って前記可動演出部材が徐々に前記カバー部材の外側に露出していくように構成したことを特徴とする［１］乃至［４］の何れかに記載の遊技機。
［５］の構成とした場合、移動経路の一端においてカバー部材によって視認困難であった可動演出部材が、移動経路の他端に向かうに従って徐々に視認可能となるので、遊技者に驚きを与えることができる。
［６］前記可動演出部材は、進退方向が横方向より長い形状をなし、前記カバー部材の内側の収納部は、前記可動演出部材が進退する進退口からの奥行きより横幅が広く形成されると共に、その横幅方向に前記進退口が配置され、
前記可動演出部材は、前記収納部外に露出した状態から前記進退口に対してカーブを切りながら入っていき、前記収納部の横幅方向に前記可動演出部材の長手方向を向けた状態にして収納されるように、前記演出回動位置決定ガイドによってガイドされることを特徴とする［５］に記載の遊技機。
［６］の構成とした場合、可動演出部材が、遊技者にとって視認可能な位置から直線的な動きでは収納できない狭いスペースへとカーブを切りながら収納されるので、遊技者に意外性を与えることができる。しかも、可動演出部材が直線状に移動して収納される場合と比較して、可動演出部材をコンパクトに収納することができる。
［７］移動経路における一端又は他端に向かって移動した前記可動演出部材によってオン又はオフされる検出スイッチを備えたことを特徴とする［１］乃至［６］の何れかに記載の遊技機。
［７］の構成とした場合、可動演出部材が移動経路における一端又は他端に配置されたことを検出スイッチによって検出することができる。
［８］前記可動演出部材は、移動経路における一端又は他端の手前で上下方向又は斜め上下方向に降下して前記移動経路の下端としての一端又は他端で停止するように構成され、
前記ベース部材には、前記移動経路の下端に向かって降下する前記可動演出部材から力を受けて弾性変形するアシスト弾性部材が備えられていることを特徴とする［１］乃至［６］の何れかに記載の遊技機。
［９］前記ベース部材に往復動可能に支持されて待受位置と作動位置との間を往復動する往復部材を設け、前記アシスト弾性部材は、前記往復部材を前記待受位置に向けて付勢するように組み付けられ、
前記移動経路の下端に向かって降下する前記可動演出部材が、前記待受位置の前記往復部材に当接して前記作動位置まで押し下げるように構成したことを特徴とする［８］に記載の遊技機。
［８］及び［９］の構成とした場合、可動演出部材が移動経路の下端から上方又は斜め上方に移動する際に、アシスト弾性部材から力を受けるので、回転駆動源にかかる負荷を低減することができる。
［１０］前記往復部材が前記作動位置に位置しているか否かを検出する検出スイッチを備えたことを特徴とする［９］に記載の遊技機。
［１０］の構成とした場合、移動経路の下端に配置された可動演出部材に当接して作動位置まで押し下げられた往復部材は、検出スイッチにて検出される。すなわち、往復部材を可動演出部材とは別部品で構成しているため、可動演出部材が移動する際にガタが大きくなってしまう構成であっても、往復部材が移動することで検出スイッチによる位置検出を行えばよく、可動演出部材の位置検出をより正確に行うことが可能となる。
［１１］前記動力伝達車は、ピニオンであり、前記線状受動部は、前記ピニオンに噛合したラックであることを特徴とする［１］乃至［１０］の何れかに記載の遊技機。
動力伝達車と線状受動部の組合せは、摩擦車と摩擦ベルトであってもよいし、［１１］の構成のように、ピニオンとラックであってもよい。［１１］の構成とした場合、可動演出部材の遊技領域に対する奥行き方向への寸法を小さく構成することが可能になる。
【符号の説明】
【００９３】
１０    遊技機
２３    表示装飾枠（カバー部材）
４０    可動役物装置
４１    ベース部材
５３    ガイド孔（演出回動位置決定ガイド）
５６    ピニオン（動力伝達車）
６０    モータ（回転駆動源）
６１    収納部
６２    進退口
７０    可動演出部材
７５    ラック（線状受動部）
８０    可動係合突部
９０    被検出部材（往復部材）
９３    検出スイッチ
９９    引っ張りバネ（アシスト弾性部材）
９９Ｖ    圧縮バネ（アシスト弾性部材）
Ｍ１    基準平面
【図１】
0005398896.tif 000002
【図２】
0005398896.tif 000003
【図３】
0005398896.tif 000004
【図４】
0005398896.tif 000005
【図５】
0005398896.tif 000006
【図６】
0005398896.tif 000007
【図７】
0005398896.tif 000008
【図８】
0005398896.tif 000009
【図９】
0005398896.tif 000010
【図１０】
0005398896.tif 000011
【図１１】
0005398896.tif 000012
【図１２】
0005398896.tif 000013
【図１３】
0005398896.tif 000014
【図１４】
0005398896.tif 000015
【図１５】
0005398896.tif 000016
【図１６】
0005398896.tif 000017
【図１７】
0005398896.tif 000018
【図１８】
0005398896.tif 000019